(57)【要約】【課題】  複数の記録層をもち、ディスク片面からアクセス、記録マークの形成、読み取りが可能な光ディスクに最適な光ディスク記録方法及び、光ディスク記録再生装置を提供する。【解決手段】  光ディスク中の第１の記録層における第１のデータエリア終端まで記録情報を記録する第１のステップと、第２の記録層における第２のデータエリア先頭から記録情報を記録する第２のステップと、第１、第２のダミーエリアとして、記録情報とは無関係な情報を含むダミーブロックをそれぞれＮ、Ｍ個（Ｎ、Ｍは正の整数で０＜Ｎ、０＜Ｍ）記録する第３のステップを順次実行する光ディスク記録方法で解決でき、装置における制御手段により、第１、第２の記録層に対するアクセス記録を制御しながら第１から第３のステップを実行する光ディスク記録再生装置を構成することで解決可能となる。【選択図】  図５
2005259272.tif 000002
【特許請求の範囲】
【請求項１】
光ディスク片面からアクセス、記録マーク形成が可能な第１、第２の記録層を有する光ディスクに対し情報の記録を行う光ディスク記録方法であって、
前記第１の記録層は、データエリアの前に設けられたリードインエリアと、第１のデータエリアと、第１のデータエリアの後に設けられた第１のダミーエリアの記録領域と、を有し、
前記第２の記録層は、第２のデータエリアと、第２のデータエリアの前に設けられた第２のダミーエリアの記録領域と、を有し、
光ディスクへの記録情報に対し、
第１のデータエリア終端まで記録情報を記録する第１のステップと、
第２のデータエリア先頭から記録情報を記録する第２のステップと、
第１、第２のダミーエリアとして、記録情報とは無関係な情報を含むダミーブロックをそれぞれＮ、Ｍ個（Ｎ、Ｍは正の整数で０＜Ｎ、０＜Ｍ）記録する第３のステップとを有することを特徴とした光ディスク記録方法。
【請求項２】
光ディスク片面からアクセス、記録マーク形成が可能な第１、第２の記録層を有する光ディスクに対し情報の記録を行う光ディスク記録方法であって、
前記第１の記録層は、データエリアの前に設けられたリードインエリアと、第１のデータエリア、第１のデータエリアの後に設けられた第１のダミーエリアの記録領域を有し、
前記第２の記録層は、第２のデータエリアと、第２のデータエリアの前に設けられた第２のダミーエリア、データエリアの後に設けられた示すリードアウトエリアの記録領域を有し、
光ディスクへの記録情報に対し、
第１のデータエリア終端まで記録情報を記録する第１のステップと、
第２のデータエリア先頭から記録情報を記録する第２のステップと、
第２のデータエリアの記録後、リードアウトエリアを示す情報を記録する第３のステップと、
第１、第２のダミーエリアとして、記録情報とは無関係な情報を含むダミーブロックをそれぞれＮ、Ｍ個（Ｎ、Ｍは正の整数で０＜Ｎ、０＜Ｍ）記録する第４のステップとを有することを特徴とした光ディスク記録方法。
【請求項３】
請求項１または２において、
前記第１、第２のダミーエリアとして記録されるダミーブロック数Ｎ、Ｍの関係は、
Ｎ＝Ｍ或いは、Ｎ＜Ｍ、Ｎ＞Ｍの関係であり、かつ、Ｎ≦Ｌ、Ｍ≦Ｌ（Ｌは正の整数で第１、第２のダミーエリアに記録可能な最大ブロック数）の関係であることを特徴とする光ディスク記録方法。
【請求項４】
請求項１または２において、
ダミーブロックの記録順序は、第１の記録層から第２の記録層におけるダミーブロックを記録、或いは、第２の記録層から第１の記録層におけるダミーブロックを記録することを特徴とした光ディスク記録方法。
【請求項５】
請求項２において、リードアウトエリアを示す情報の記録が行われる場合、リードインエリアの一部に第１、第２のデータエリアに含まれる総ブロック数を示す情報と、第１のデータエリア最終ブロックアドレスを示す情報を記録することを特徴とする光ディスク記録方法。
【請求項６】
光ディスク片面からアクセス、記録マーク形成が可能な第１、第２の記録層を有する光ディスクに対し情報の記録を行う光ディスク記録再生装置であって、
前記光ディスクを回転駆動させる回転駆動手段と、
前記第１または第２の記録層に対しレーザー光を照射し情報を記録する情報記録手段と、
前記回転駆動手段と情報記録手段を制御する制御手段と、を有し、
該制御手段は、
前記第１の記録層の第１のデータエリア終端まで記録情報を記録する第１のステップと、
前記第２の記録層の第２のデータエリア先頭から記録情報を記録する第２のステップと、
前記第１のデータエリアの後に設けられた第１のダミーエリア、および、前記第２のデータエリアの前に設けられた第２のダミーエリアとして、記録情報とは無関係な情報を含むダミーブロックをそれぞれＮ、Ｍ個（Ｎ、Ｍは正の整数で０＜Ｎ、０＜Ｍ）記録する第３のステップ、
を実行するよう、前記回転駆動手段、情報記録手段を制御することを特徴とする光ディスク記録再生装置。
【請求項７】
請求項６において、
前記制御手段は、
光ディスク記録再生装置に対する記録命令の種別判定結果に従い、
第１、第２、第３のステップを順次実行する第１のシーケンスと
第１、第３、第２のステップを順次実行する第２のシーケンスと、
を切り替えて情報の記録を行うことを特徴とする光ディスク記録再生装置。
【請求項８】
光ディスク片面からアクセス、記録マーク形成が可能な第１、第２の記録層を有する光ディスクに対し情報の記録を行う光ディスク記録再生装置であって、
前記光ディスクを回転駆動させる回転駆動手段と、
前記第１または第２の記録層に対しレーザー光を照射し情報を記録する情報記録手段と、
前記回転駆動手段と情報記録手段を制御する制御手段と、を有し、
該制御手段は、
前記第１の記録層の第１のデータエリア終端まで記録情報を記録する第１のステップと、
前記第２の記録層の第２のデータエリア先頭から記録情報を記録する第２のステップと、
前記第２のデータエリアの記録後、リードアウトエリアを示す情報を記録する第３のステップと、
前記第１のデータエリアの後に設けられた第１のダミーエリア、および、前記第２のデータエリアの前に設けられた第２のダミーエリアとして、記録情報とは無関係な情報を含むダミーブロックをそれぞれＮ、Ｍ個（Ｎ、Ｍは正の整数で０＜Ｎ、０＜Ｍ）記録する第４のステップ、
を実行するよう、前記回転駆動手段、情報記録手段を制御することを特徴とする光ディスク記録再生装置。
【請求項９】
請求項８において、
リードアウトエリアを示す情報の記録が行われる場合、前記第１のデータエリアの前に設けられたリードインエリアの一部に第１、第２のデータエリアに含まれる総ブロック数を示す情報と、第１のデータエリア最終ブロックアドレスを示す情報を記録することを特徴とする光ディスク記録再生装置。
【請求項１０】
データ領域の外周側にミドルエリアが設けられた第１の記録層と、データ領域の内周側にミドルエリアが設けられた第２の記録層と、を有する光ディスクに対する記録方法であって、
前記光ディスクの片面からレーザー光を照射することにより、
前記第１の記録層のデータ領域の内周方向から外周方向への記録、
前記第２の記録層のデータ領域の外周方向から内周方向への記録、
前記第１の記録層のミドルエリアの内周方向から外周方向への記録、
前記第２の記録層のミドルエリアの外周方向から内周方向への記録、
を順次行うことを特徴とする光ディスクの記録方法。
【請求項１１】
データ領域の外周側にミドルエリアが設けられた第１の記録層と、データ領域の内周側にミドルエリアが設けられた第２の記録層と、を有する光ディスクに対する記録方法であって、
前記光ディスクの片面からレーザー光を照射することにより、
前記第１の記録層のデータ領域の内周方向から外周方向への記録、
前記第２の記録層のデータ領域の外周方向から内周方向への記録、
前記第２の記録層のミドルエリアの外周方向から内周方向への記録、
前記第１の記録層のミドルエリアの内周方向から外周方向への記録、
を順次行うことを特徴とする光ディスクの記録方法。
【請求項１２】
請求項１０または１１に記載の光ディスクの記録方法において、
前記第１の記録層のデータ領域への記録は、該データ領域の最外周まで行い、
前記第２の記録層のデータ領域への記録は、該データ領域の最外周から行うことを特徴とする光ディスクの記録方法。
【発明の詳細な説明】
【技術分野】
【０００１】
本発明は、追記、書換え可能な光ディスクに情報を記録する際の記録方法及び、光ディスク記録再生装置に関する。
【背景技術】
【０００２】
ディスク片面から読み取り可能な複数の記録層を持つ再生専用光ディスクとしてＤＶＤ−ＲＯＭ（ＤＶＤ−Ｒｅａｄ  Ｏｎｌｙ  Ｍｅｍｏｒｙ）が開発され利用されている。
【０００３】
このＤＶＤ−ＲＯＭ規格では、第１の記録層はディスク内周から外周に向かって、第２の記録層は外周から内周に向かって螺旋状に記録ピット列が形成される構成が提示されている。第１の記録層は、内周から外周に向かって、リードインエリア、データエリア、ミドルエリアで構成され、第２の記録層は、外周から内周に向かって、ミドルエリア、データエリア、リードアウトエリアで構成される。
【０００４】
リードインエリアには第１の記録層のデータエリア最終ブロックアドレスを示す情報と、第１、第２の記録層のデータエリアに含まれる全てのブロック数を示す情報が含まれる。
【０００５】
ＤＶＤ−ＲＯＭの再生は、リードインエリアの情報に基づいて、アクセスする記録層の特定、第１の記録層のデータエリア終端までの再生、第２の記録層のデータエリア先端からの再生、などを制御することで行われる。
【０００６】
ＤＶＤ−ＲＯＭのように記録面上に記録情報に対応するピット（マーク）のみが存在しトラッキング案内溝が存在しない光ディスクの再生装置では、トラック中央に設けられたピット列に対しレーザーを照射し反射光からトラッキング誤差信号を検出するＤＰＤ（Ｄｉｆｆｅｒｅｎｔｉａｌ  Ｐｈａｓｅ  Ｄｅｔｅｃｔｉｏｎ）方式でトラッキング引き込みを行なうのが一般的である。このため、ＤＶＤ−ＲＯＭの記録層後部には、データエリア再生終了直後のトラッキング外れを回避する目的で、所定のビット列が記録されたミドルエリア、リードアウトエリアが設けられている。また、ＤＶＤ−ＲＯＭの第２の記録層前部には、データエリア再生前にトラッキング引き込みさせるため、所定のビット列が記録されたミドルエリアが設けられている。このミドルエリアには有効データが記録されていないため、データエリアからの情報のみが再生情報としてホストコンピュータ等の周辺デバイスに伝送される。
【０００７】
また、記録可能な光ディスクとしてＣＤ−Ｒ，  ＣＤ−ＲＷ，  ＤＶＤ−Ｒ，  ＤＶＤ−ＲＷ，  ＤＶＤ＋Ｒ，  ＤＶＤ＋ＲＷなどが開発され利用されている。これら追記、書き換えが可能な光ディスクは、マークが存在しない未記録状態であってもトラッキング引き込み、記録マークとトラック位置との同期化が可能なようにトラッキング案内溝、ウォブリングが形成され、目的位置へのアクセスのためプリピット或いはウォブリングにアドレス情報が変調される。このような記録可能型光ディスクの記録時には、トラック案内溝に対しレーザーを照射し、反射光からトラッキング誤差信号を検出するＰＰ（Ｐｕｓｈ−Ｐｕｌｌ）方式でトラッキング制御が行なわれる。
【０００８】
しかしながら、記録後の記録可能型光ディスクはＤＰＤ方式を用いた光ディスク装置でも再生できるようにする必要がある。すなわち、記録後の記録可能型光ディスクはＤＰＤ方式でもトラッキング外れが生じないようにするため、データエリアにつづくリードアウトエリアに所定のビットを記録し、ＤＰＤ方式によるトラッキングエラー信号を得られるようにする必要がある。
【０００９】
【特許文献１】特開平１１―２７３０８２号公報（第４〜５頁、図３）
【特許文献２】特許公報  第２８７１５３４号（第３頁、図２、図３）
【特許文献３】特開２００３―９９９５１号公報（第３〜５頁、図２）
【発明の開示】
【発明が解決しようとする課題】
【００１０】
近年追記、書き換えが可能な光ディスクにおいても記録容量向上を目的に、片面から複数の記録層へのアクセスや記録マーク形成、読み取りが可能な光ディスクが開発されている。
【００１１】
このような追記、書換え可能な光ディスクは、ＤＶＤ−ＲＯＭに代表される複数記録層を有する再生専用光ディスクとの再生互換性を確保するのが好ましく、光ディスクにおける各記録層の領域構成、リードインに含める特有の情報についても互換性を維持するのが好ましい。つまり、データエリア再生直後／直前のトラッキング外れを防止するため、第１記録層の外周部、および、第２記録層の外周部に所定のビットを記録したエリア（ミドルエリア）を設ける必要がある。
【００１２】
２つの記録層を有する記録型光ディスクにミドルエリアを記録する手法として、第１の記録層データエリア終端までデータを記録後、それに続く第１の記録層のミドルエリアを記録、記録層を切り替え、第２の記録層のミドルエリアを記録し、第２の記録層のデータエリア先頭からデータの記録を再開する手法が考えられる。
【００１３】
ミドルエリア中には有効データの記録を行うことはできないため、この手法を用いた場合には、ホストコンピュータなどの周辺デバイスから連続してデータを受け付けても、ミドルエリア記録中はデータを光ディスクに記録することができず、入力されたデータの一部を光ディスクに記録できないおそれがある。特にリアルタイムに伝送される映像情報などを記録対象とする場合にミドルエリア記録中に伝送された情報の一部が記録できなかったとき、つまり情報の一部が欠落して記録されたときには、第１、第２の記録層のデータエリア間で記録情報の時間的な連続性が維持できないという問題がある。
【００１４】
よって、リアルタイムに伝送される情報を記録する際に、データエリアへの記録中断を短縮しながら、ミドルエリアを記録も可能とする手法を提案することが本発明の課題となる。更に読み取り専用光ディスクとの再生互換を維持するため、特にライトワンス型の光ディスクに対するリードインエリアへの特有な情報の記録方法の提案も課題である。
【００１５】
本発明の目的は、上記課題を解決する光ディスク記録装置及び、光ディスク記録方法を提供することである。
【課題を解決するための手段】
【００１６】
本発明において上記問題点を解決する光ディスク記録装置、光ディスク記録方法は、光ディスク中の第１の記録層における第１のデータエリア終端まで記録情報を記録する第１のステップと、第２の記録層における第２のデータエリア先頭から記録情報を記録する第２のステップと、第１、第２のダミーエリアとして、記録情報とは無関係な情報を含むダミーブロックをそれぞれＮ、Ｍ個（Ｎ、Ｍは正の整数で０＜Ｎ、０＜Ｍ）記録する第３のステップを順次実行する光ディスク記録方法で解決でき、装置における制御手段により、第１、第２の記録層に対するアクセス記録を制御しながら第１から第３のステップを実行する光ディスク記録再生装置を構成することで解決可能となる。
【発明の効果】
【００１７】
本発明によると、ディスク片面から複数の記録層にアクセス、記録マーク形成、読み取りが可能な追記、書換え型光ディスクにおいて、複数の記録層に渡り連続して記録を行う際の、データエリアに対する記録停止時間の短縮化が可能となり、映像情報のリアルタイム記録などを、記録情報の欠落無く適切に行なうことができる。また、片面読み取りの読み取り専用ディスクとの互換性も確保できる。
【発明を実施するための最良の形態】
【００１８】
以下、本発明の第１の実施例について図面を用いて説明する。
【００１９】
図１は本発明における全ての実施例に適用される光ディスク記録再生装置の構成図であり、図２は図１の記録再生装置において記録の対象となる光ディスクの構成例を示し、光ディスクへの記録例として３つのセッションを記録（セッションは特にライトワンス型の光ディスクに対する１回あたりの情報記録単位の一つである）、リードアウトエリア記録によるディスククローズ（ファイナライズ）処理を行った場合の説明図である。図３、図４は第２のセッション記録時における各領域への記録順序を示し、図５は光ディスク記録再生装置における制御方法を示すフローチャートである。
【００２０】
光ディスク記録再生装置の構成を説明する。図１において、１は１枚のディスクに複数の記録層を含み、片面から各記録層へのアクセス、記録マーク形成、記録マーク読み取りが可能な光ディスク、２は光ディスク１の各記録層における記録トラックアクセスし記録マーク形成、読み取りを行う光ヘッド、３は記録マーク形成の際に、変調信号に従い光ヘッド２のレーザー発光を制御するレーザー制御部、４は記録情報から光ディスク１への記録に適した変調信号を生成するデータエンコーダ、５はホストコンピュータなど、装置周辺デバイスから転送される記録情報や、光ディスク１の記録マーク読み取りから得られる再生情報を一時的に記憶するバッファメモリ、６は記録マークに対する再生信号や、記録トラック側面に刻まれたウォブリングに対する信号の増幅、２値化等を行うプリアンプ、７はディスク上の位置を示すアドレス情報、アドレス情報と共に変調された付加情報を検出するアドレスデコーダであり、追記、書換え型の光ディスクでは一例としてウォブリングに変調されるＡＴＩＰ（Ａｂｓｏｌｕｔｅ  Ｔｉｍｅ  Ｉｎ  Ｐｒｅ−ｇｒｏｏｖｅ）、ＡＤＩＰ（ＡＤｄｒｅｓｓ  Ｉｎ  Ｐｒｅ−ｇｒｏｏｖｅ）、プリピットとして刻まれたＬＰＰ（Ｌａｎｄ  Ｐｒｅ−Ｐｉｔ）に対しアドレス情報、付加情報の検出を行う。８は再生信号に対する復調処理、誤り訂正処理など光ディスク１の記録情報再生に必要な処理を行うデータデコーダ、９は装置とその周辺デバイス間で、光ディスクへの記録情報や再生情報の転送を制御するインターフェイス部、１０は光ヘッド２の移動や光ディスク１の回転制御、アクセス目標に対する記録、再生制御など装置全体の制御を行うシステムコントローラ、１１はディスクモータ１２や光ヘッド２のフォーカス、トラッキング制御、ディスク半径方向への移動制御を行うサーボ処理部、１２は光ディスク１を回転させるディスクモータ、１３はシステムコントローラ１０による制御で、光ディスク１に対するアクセス目標からの記録開始、終了を制御する記録制御部である。
【００２１】
次に光ディスク１の各領域構成とセッション記録についての一例を説明する。図２においてディスク片面からアクセス、記録マーク形成、読み取りが可能な２つの記録層としてレイヤー０とレイヤー１が存在する。各記録層へのアクセスはサーボ制御部１１による光ヘッド２のフォーカス制御で実現できる。図２において例えば、光ディスク１のレーザー照射面から見て、レイヤー０が手前、レイヤー１が奥の記録層として存在する。領域の構成について、ディスク最内周と、最外周に光ヘッド２のレーザーパワー最適化等に用いられる内周、外周ドライブエリアが確保され、レイヤー０の内周ドライブエリアにはその他にセッション数や各セッションの先頭アドレス、リードアウトエリアが存在するクローズ（ファイナライズ）ディスクであるか等、光ディスク１の記録状態を管理するＴＯＣ（Ｔａｂｌｅ  ｏｆ  ｃｏｎｔｅｎｔｓ）情報の記録領域としても利用される。外周ドライブエリアは存在しない光ディスクについても本発明は適用される。内周、外周ドライブエリア間の領域が、例えばＤＶＤ−ＲＯＭ片面読み取り再生専用ディスクとの互換領域となる。互換領域においてレイヤー０内周側からリードインエリア、データエリア、ミドルエリアの順で構成し、レイヤー１外周側からミドルエリア、データエリア、リードアウトエリアの順で構成する。ミドルエリアに含まれるブロック数は最大Ｌブロック（Ｌは正の整数で、１ブロックは光ディスク１への記録単位の一つである）が確保される。ミドルエリアとして確保可能な最大ブロック数については、レイヤー０、レイヤー１で異なる場合も考えられる（Ｌ１、Ｌ２ブロック、Ｌ１、Ｌ２共に正の整数である）。しかしながら以降説明する実施例においては、レイヤー０、１共に最大Ｌブロックとして説明する。
【００２２】
セッション記録状態について、一例としてセッション１はレイヤー０のリードイン領域先頭からデータエリア途中まで、セッション２はセッション１直後からレイヤー０データエリア終端までと、レイヤー１ミドルエリア先頭からのデータエリアに存在する。セッション３はセッション２直後からリードアウトエリアまでとなる。セッション２の途中に存在するミドルエリアにはデータエリアとは無関係のダミー情報が記録される。またＴＯＣ情報は、各セッション単位の記録が終了する度に記録される。図２は３セッションが存在するため、ＴＯＣ情報も３回記録される。
【００２３】
次に第１の記録方法によるセッション２の記録動作について図１と図３を用いて説明する。装置に光ディスク１が装着されると、システムコントローラ１０は、サーボ制御部１１を介して光ヘッド２をＴＯＣ領域にアクセスさせる。アクセスについて、システムコントローラ１０はアドレスデコーダ７からのアドレス情報からアクセス目標位置に光ヘッド２を移動するように制御する。アクセス目標位置はシステムコントローラであらかじめ設けてあり、光ディスク１であらかじめ規定されている各領域の境界アドレスを参照する。ＴＯＣ領域にアクセス後、データデコーダ８からの再生情報がバッファメモリ５にバッファリングされ、システムコントローラは最新のＴＯＣ情報を検索、解析することで、図３のセッション１の存在と、最終アドレスを把握する。同様の制御方法でリードインエリアの記録トラック或いはウォブリングにアドレス情報と共に変調されている付加情報からレイヤー０のデータエリア最終アドレスを検出する。
【００２４】
一方でホストコンピュータなど周辺デバイスから光ディスク１への記録命令と、記録情報がインターフェイス部９を介して、バッファメモリ５にバッファリングされる。バッファリングされた記録情報はデータエンコーダ４により変調信号として出力される。更にシステムコントローラ１０は検出したセッション１の最終アドレス情報から、その付近へ光ヘッド２を移動、記録開始アドレスを検出後、記録制御部１３に対して変調信号の転送を開始、レーザー制御部３を介して変調信号に対する記録マークの形成（セッション２の記録）を開始する。更にレイヤー０のデータエリア最終アドレスが検出されると、データエリアへの記録を一旦中断する（Ｒｅｃ１）。
【００２５】
続いてシステムコントローラ１０は、バッファメモリ５にミドルエリアに対する記録情報（ダミーデータ）に対し、データエンコーダ４、記録制御部１３を介してレイヤー毎にＬブロック記録する（Ｒｅｃ２）。ミドルエリアの記録順は、レイヤー０のデータエリア終端以降からＬブロック記録して一旦記録を中断、光ヘッド２のフォーカス切り替えによりレイヤー１にアクセス、外周ドライブエリア終端以降からＬブロック記録する。各レイヤーの記録順はこれに限定されず、レイヤー１からレイヤー０の順序であることも考えられる。
【００２６】
更にバッファメモリ５にバッファリングされているレイヤー０データエリアに続く記録情報を記録し（Ｒｅｃ３）、システムコントローラ１０は追加されたセッション２を含むＴＯＣ情報を更新、バッファメモリ５を通してＴＯＣ領域にアクセス、記録しセッション２の記録処理を終了する。
【００２７】
次に第２の記録方法によるセッション２の記録動作について図４を用いて説明する。この場合も、光ディスクに対するアクセス、バッファリング制御、記録制御は先に述べたシステムコントローラ１０による制御動作が適用され、以下装置の各構成要素に対する動作説明は省略する。図４においてレイヤー０のセッション１終端以降からデータエリア最後まで記録し、データエリアに対する記録を一旦中断する。更にレイヤー１のデータエリア先頭にアクセス、レイヤー０のデータエリア最終に続く記録情報の記録を再開する（Ｒｅｃ１）。セッション２を構成するデータエリア記録終了後、レイヤー０のデータエリア以降から各レイヤーのミドルエリアとしてそれぞれＬブロック記録（Ｒｅｃ２）、ＴＯＣ情報の更新、追記を行い、セッション２の記録処理を終了する。この第２の記録方法のミドルエリア記録順についても第１の記録方法と同様、レイヤー１からレイヤー０の順序であることも考えられる。
【００２８】
ここで、特にデータエリアとミドルエリアの境界に対するつなぎ記録（リンキング処理）について図９を用いて説明する。図９は一例としてレイヤー０のデータエリアとミドルエリア間のリンキング処理を示す。図９（ａ）、（ｂ）の記録動作（Ｒｅｃ１、Ｒｅｃ２）は図３、或いは、図４の記録動作に相当する。
【００２９】
図９（ａ）において、レイヤー０のデータエリア記録は最終ブロック終端で終了する（Ｒｅｃ１）。ミドルエリアの記録は最終ブロック先頭にアクセス、記録制御部により最終ブロック終端から記録を開始する。続いてバッファメモリ上に格納されたダミー情報から変調信号を生成しミドルエリアとして記録を継続する（Ｒｅｃ２）。ダミー情報はシステムコントローラによる制御でバッファメモリにあらかじめ格納される。この場合データエリアの終端とミドルエリアの先端がオーバーラップするが、データデコーダでの誤り訂正処理により元のデータに再生される。レイヤー１におけるミドルエリア、データエリア間のリンキング処理も同様であり、ミドルエリアの最終ブロック終端で記録を終了し、データエリア記録は、ミドルエリア終端から記録を開始し、データエリアの記録を続いて行う。
【００３０】
図９（ｂ）において、レイヤー０のデータエリア記録は最終ブロックに続くミドルエリア先頭で終了する（Ｒｅｃ１）。ミドルエリア記録はミドルエリア先頭ブロックにアクセスし、前回の記録終端付近から記録を開始する（Ｒｅｃ２）。レイヤー１におけるミドルエリアとデータエリアのリンキング処理も同様であり、ミドルエリア最終ブロックに続くデータエリア先頭ブロックの先頭で記録を終了し、前回の記録終了付近からデータエリアに対する記録を開始する。
【００３１】
図９（ａ）、（ｂ）においてデータエリア或いはミドルエリアに対する記録ブロック間でオーバーラップが発生するが、光ディスク再生時にデータデコーダによる誤り訂正処理により元のデータに復元される。以上説明したリンキング処理は、データエリアとミドルエリア間のつなぎ記録で実施されることに限定されず、リードイン、リードアウトとデータエリア間の記録、ＴＯＣ情報更新時など、記録済み領域に続いて記録を開始する際に実施される。
【００３２】
第１の実施例の光ディスク記録再生装置における動作を図５のフローチャートを用いて説明する。図５は図３、図４で説明した第１、第２の記録方法両方に対応する制御を示し、主にシステムコントローラ１０における制御動作を示す。以下特にセッション２の記録を例示し説明する。装置に光ディスク１が装着されるとシステムコントローラ１０は、装着した光ディスクに対しトラッキング、フォーカス調整などの調整処理を行うと共に、光ディスク１が片面から複数の記録層に対しアクセス、記録マーク形成、読み取り可能な光ディスクであるかを判定する（ステップ５０１）。判定結果から、そのような光ディスクと判定された場合、更にアクセス、再生を制御し、ＴＯＣエリアの読み取りから光ディスク上のセッションに対する情報を、リードインエリアの読み取りからレイヤー０のデータエリア最終ブロックアドレス、外周ドライブエリア開始ブロックアドレス等光ディスクへのアクセスに必要な情報の検出を行う（ステップ５０２）。これらアクセスに必要な情報の検出については光ディスクフォーマットであらかじめ規定される場合もあり、ステップ５０１のディスク判別結果からシステムコントローラ１０はその規定値が格納されるテーブルを参照する場合もある。
【００３３】
一方でインターフェイス部９において受信された、装置の周辺デバイス（例えばホストコンピュータ）からの命令内容を解析し、光ディスクへの記録命令であるかを判定する（ステップ５０３）。記録命令の場合、周辺デバイスから転送される記録情報のバッファリングをバッファメモリ５で行われると共に、レイヤー０セッション１の終了位置付近へ光ヘッド２をアクセスさせる（ステップ５０４）。記録開始位置の検出後セッション２の記録を開始し、レイヤー０最終ブロックまで記録する（ステップ５０５）。
【００３４】
ステップ５０６においてステップ５０３における記録命令の解析からステップ５０７、５０８のへの分岐を判定する。周辺デバイスからの転送中断が長時間許容される場合はステップ５０７、ステップ５０８の処理を行い、図３の第１の記録方法を実施する。転送中断が長時間許容できない場合（例えば、時系列的に連続する映像データ等、リアルタイムに伝送されるストリーム情報を記録する場合）、ステップ５０９、ステップ５１０の処理を行い、図４の第２の記録方法を実施する。更にステップ５１０によりＴＯＣ情報の更新、記録を行いセッション２の記録を終了する。
【００３５】
インターフェイス部９に受信される記録命令は、記録命令そのものの種類或いは、記録命令に含まれる識別情報をシステムコントローラ１０で識別し、ステップ５０６の分岐が判断される。またシステムコントローラで制御されるレイヤー０の最終ブロックまでの記録制御、ミドルエリアの記録制御についてはステップ５０２で検出したアクセスに必要な情報を参照することで、記録開始、終了の制御が行われる。
【００３６】
以上に述べたように第１の実施例においては、ミドルエリアの記録をレイヤー０，１のデータエリア記録途中で行う第１の記録方法と、データエリア記録終了後に行う第２の記録方法を制御し、記録命令の識別、つまり周辺デバイスからの記録情報の伝送状態により第１、第２の記録方法を切り替え可能な光ディスク記録再生装置を提供できる。特に第２の記録方法を行う場合は、周辺デバイスからの伝送中断を最小とすることが可能となる。
【００３７】
なお第１の実施例において光ディスク記録再生装置は第１、第２の記録方法を選択する装置であることに限定されず、特に第２の記録方法のみを行う装置も構成可能である。この場合図５においてステップ５０６の分岐は存在せず、ステップ５０５からステップ５０７、５０８の処理、或いはステップ５０９、５１０の処理を順次実行する。
【００３８】
図６は本発明の第２の実施例の説明図である。この場合も図３、図４と同様、レイヤー０からレイヤー１に渡るセッション２の記録方法に限定して説明する。第２の実施例においても光ディスク１に対するアクセス、記録に伴う動作は、第１の実施例で説明したシステムコントローラ１０による制御と同様であり説明を省略する。
【００３９】
図６において、セッション２の記録は、セッション１終端後からレイヤー０のデータエリア最終まで記録する（Ｒｅｃ１）。その後、レイヤー０のデータエリアに接するＮブロック分のミドルエリア（Ｎは正の整数で０≦Ｎ≦Ｌ）、レイヤー１のデータエリアに接するＭブロック分のミドルエリア（Ｍは正の整数で０≦Ｍ≦Ｌ）を記録し、ミドルエリアの記録を一旦終了する（Ｒｅｃ２）。更に、レイヤー１のデータエリア先頭から記録し、データエリアへの記録を終了する（Ｒｅｃ３）。更に、最大Ｌブロック確保されるミドルエリアにおいて、その未記録部分を各レイヤーそれぞれ（Ｌ−Ｎ）ブロック、（Ｌ−Ｍ）ブロック記録する（Ｒｅｃ４）。最後にＴＯＣ情報の更新、記録でセッション２の記録処理を終了する。
【００４０】
ミドルエリアの記録（Ｒｅｃ２）におけるブロック数（Ｎ、Ｍ）について、Ｎ＝Ｍ＝Ｌの場合は図３の第１の記録方法に相当し、Ｎ＝０、Ｍ＝０の場合は図４の第２の記録方法に相当する。一方で０＜Ｎ、Ｍ、Ｎ、Ｍ＜Ｌの条件でＮ＝Ｍ、Ｎ＜Ｍ、Ｎ＞Ｍそれぞれの場合が考えられる。共にレイヤー１のデータエリア記録開始までの必要時間を短縮可能である。特にＮ＜Ｍの場合、レイヤー１のミドルエリア記録開始位置へのアクセスが容易になる。レイヤー１にアクセスの際レイヤー０に形成された記録マークに伴うディスク反射光量の低下を回避できる。つまりＬＰＰやＡＤＩＰ、ＡＴＩＰ再生信号の劣化が回避され、アドレスデコーダにおけるアドレス検出率低下が回避されるからである。
【００４１】
ミドルエリアとして確保される最大ブロック数Ｌについて、Ｌブロック分の確保は必要ない場合もある。図６においてミドルエリアの記録（Ｒｅｃ２）で記録されるブロック数Ｎ、Ｍは、ミドルエリアを記録するディスク半径位置において、ディスクＲ回転分（Ｒは正の整数）の記録トラック長に記録可能なブロック程度を確保することも考えられる。このようにミドルエリアとして各々の記録層にＭ、Ｎブロック記録した場合、残りのミドルエリア記録（Ｒｅｃ４）は行わないことも考えられる。また図４で説明した第２の記録方法におけるミドルエリア記録についても、記録ブロック数をＮ、Ｍブロックに制限することも考えられる。
【００４２】
以上に述べたように第２の実施例においては、ミドルエリアの記録ブロック数をＮ、Ｍブロックに制限することで、レイヤー１のデータエリア記録開始までに要する時間を短縮できる。
【００４３】
図７は本発明の第３の実施例の説明図である。この場合も図３、図４と同様、レイヤー０からレイヤー１に渡るセッション２の記録方法に限定して説明する。第３の実施例においても光ディスク１に対するアクセス、記録に伴う動作は、第１の実施例で説明したシステムコントローラ１０による制御と同様であり説明を省略する。
【００４４】
図７においてセッション２の記録は、セッション１終端以降からレイヤー０のデータエリア最終まで記録する。この実施例の場合、レイヤー１のデータエリア先頭を、レイヤー０のデータエリア最終ブロックのディスク半径位置に対応するレイヤー１のブロックに対し、Ｋブロック（Ｋは正または負の整数）オフセットした（ずらした）位置とし、レイヤー１のデータエリア記録を行う（Ｒｅｃ１）。データエリアの記録終了後、レイヤー０のミドルエリアとしてＬブロック、レイヤー１のミドルエリアとしてＬ＋Ｋブロック分の記録を行う（Ｒｅｃ２）。この場合レイヤー１のデータエリア開始ブロックアドレス或いは、レイヤー０の最終ブロックアドレスに対するオフセット情報（＋Ｋ或いは−Ｋブロック）をＴＯＣ情報に含めて更新、記録を行いセッション２の記録処理を終了する。
【００４５】
ミドルエリアをＫブロック増した場合、例えばレイヤー０のミドルエリア記録ブロック数を（Ｌ−Ｋ）とするなど、データエリアとして確保可能なブロック数の減少を回避することが考えられる。第３の実施例の場合もミドルエリアの記録（Ｒｅｃ２）は、図３の第１の記録方法と同様、データエリア記録途中で行うことも考えられる。同様にミドルエリアの記録は最大Ｌブロックに限定されず、第２の実施例で説明した記録ブロック数をＭ、Ｎに制限する場合も考えられる。
【００４６】
以上に述べたように第３の実施例においては、特にレイヤー０データエリア終端ブロックのディスク半径位置に対するレイヤー１データエリア先頭ブロックに−Ｋブロック分のオフセットを持たせて記録することで、第２の実施例におけるミドルエリアの記録ブロック数Ｎ＜Ｍの場合と同様、レイヤー１のデータエリア先頭へのアクセスを容易になる。
【００４７】
図８は本発明第４の実施例を説明する説明図である。図８においてセッション１は例えばリードインエリア前半部分が未記録である。このような記録状態の光ディスクに対しセッション２をレイヤー０、１に渡り記録し、更にセッション３の記録後、ディスククローズ（ファイナライズ）処理を行う場合について説明する。
【００４８】
図８においてセッション１は、レイヤー０データエリアの最終ブロックアドレス、データエリアにおける記録ブロック数など、データエリアに対する再生に必要なアクセス情報以外はリードインエリアとして記録済みである。セッション２の記録はレイヤー０、１のデータエリアに対し行い（Ｒｅｃ１）、セッション１、２に対するＴＯＣ情報の更新、記録を行う。この場合ミドルエリアの記録はセッション２記録時には行わない。更にセッション３を記録（Ｒｅｃ２）、リードアウトエリアを記録することでディスククローズ状態となる（Ｒｅｃ３）。それに続いてミドルエリアを記録する（Ｒｅｃ４）。ディスククローズ処理が行われることでデータエリアに含まれる記録ブロック数が確定する。従ってその情報を含めリードインエリア前半部分を記録（Ｒｅｃ５）、更にセッション１、２、３に対するＴＯＣ情報と、ディスククローズ状態を示す情報をＴＯＣ情報として記録し、ディスククローズ処理を終了する。ミドルエリア記録（Ｒｅｃ４）、リードインエリア前半部の記録（Ｒｅｃ５）、ＴＯＣ情報記録の順序については、説明した順序に限定されず、ディスク半径方向の光ヘッド移動量が最小となる順番が望ましい。
【００４９】
なお第４の実施例についても、第２の実施例と同様、セッション２の記録の際にミドルエリアとしてＮ、Ｍブロックの記録を行う場合も考えられる。更にディスククローズ処理の際に残りのミドルエリアを記録する場合も考えられる。
【００５０】
以上に述べたように第４の実施例はディスククローズ処理の際に、データエリアに含まれる総ブロック数などディスク特有のアクセス情報を含め、リードインエリア記録を完了させることで片面読み取りの再生専用ディスクとの互換性を維持可能となる。またミドルエリア記録をディスククローズ処理時に行うことで、セッション２のデータエリア記録中断を回避でき、装置としてセッション３の記録開始可能な状態への遷移時間を短縮できる。
【００５１】
なお説明した全ての実施例において、ミドルエリア記録順については、レイヤー０から１の順に限定されず、レイヤー１から０の順でも構わない。この場合レイヤー０の記録マーク形成に伴うディスク反射光量の低下を回避でき、レイヤー１に対するＬＰＰやＡＤＩＰ、ＡＴＩＰ再生信号の劣化が回避される。従ってアドレスデコーダにおけるアドレス検出率低下が回避される。つまりディスクアクセス面から奥のレイヤーを先に記録し、近いレイヤーを後で記録することが望ましい。
【００５２】
また実施例で説明した光ディスクは２つの記録層を持つ光ディスクを対象に説明したが、本発明が適用される光ディスクはこれに限定されず、リードインエリアとリードアウトエリア間のデータエリアが各記録層に渡る場合に、各記録層のデータエリア終端、先端に対しミドルエリア相当のものが記録される場合に適用される。
【００５３】
また光ディスクへの記録単位であるブロックは、その構成が例えばＤＶＤ−ＲＡＭのように、光ディスクへの記録情報を含むブロックとは別に設けられたアドレス情報を含む情報を１ブロックとする場合や、ブロック間の境界を示す情報、同期信号など、光ディスクへの記録情報と区別される情報領域を含めて１ブロックとする場合や、光ディスクからの再生時に行われ、データデコーダ内部で行われる誤り訂正処理の単位１ブロックとする場合も考えられる。
【図面の簡単な説明】
【００５４】
【図１】光ディスク記録再生装置の構成を示すブロック図。
【図２】光ディスクの領域構成例と、セッション記録例を示す説明図。
【図３】第１の実施例における第１の記録動作を示す説明図。
【図４】第１の実施例における第２の記録動作を示す説明図。
【図５】第１の実施例における装置動作を説明するフローチャート。
【図６】第２の実施例における記録動作を示す説明図。
【図７】第３の実施例における記録動作を示す説明図。
【図８】第４の実施例における記録動作を示す説明図。
【図９】データエリアとミドルエリア間のリンキング例を示す説明図。
【符号の説明】
【００５５】
１…光ディスク、２…光ヘッド、３…レーザー制御部、４…データエンコーダ、５…バッファメモリ、６…プリアンプ、７…アドレスでコーダ、８…データデコーダ、９…インターフェイス部、１０…システムコントローラ、１１…サーボ制御部、１２…ディスクモータ、１３…記録制御部。
【図１】
2005259272.tif 000003
【図２】
2005259272.tif 000004
【図３】
2005259272.tif 000005
【図４】
2005259272.tif 000006
【図５】
2005259272.tif 000007
【図６】
2005259272.tif 000008
【図７】
2005259272.tif 000009
【図８】
2005259272.tif 000010
【図９】
2005259272.tif 000011